(57)【要約】【課題】従来のエンドピース装着機構では、エンドピース４の前面にリモコン５の収納部４１を形成し、収納部からリモコンを出入れするとエンドピース自体が姿勢を崩したり、外れたりする場合があった。【解決手段】エンドピース４を側板３１ａに保持する保持手段４２、３１ｂをエンドピースと側板とに形成する。エンドピースの定位置への挿入で相互に係合しエンドピースを所定の位置に係止する係止手段４３ａ、３１ｄのうちいずれか一方をエンドピースに他方を器具本体の側板に形成すると共に、係止手段のうちいずれか一方を弾性変形する変形部４３に設ける。変形部を弾性変形させて係止手段相互の係合を解除できるようにエンドピース前面からの操作で力を加え得る駆動部４３ｃを変形部に設ける。【選択図】　図２
2004100775.tif 000002
【特許請求の範囲】
【請求項１】
器具設置空間と器具本体の側板との間に生じる隙間を封鎖するようにエンドピースを前方から挿入して側板に着脱自在に装着するエンドピース装着機構において、
前記エンドピースを側板に保持する保持手段をエンドピースと側板とに形成し、
エンドピースの定位置への挿入で相互に係合しエンドピースを該定位置に係止する係止手段のうちいずれか一方をエンドピースに他方を側板に形成すると共に、係止手段のうちいずれか一方を弾性変形する変形部に設け、
該変形部を弾性変形させて係止手段相互の係合を解除できるようにエンドピース前面からの操作で力を加え得る駆動部を変形部に設けたことを特徴とするエンドピース装着機構。
【請求項２】
前記係止手段を係止突起と係止孔とから構成したことを特徴とする請求項１記載のエンドピース装着機構。
【請求項３】
前記変形部は、エンドピースからエンドピースの挿入方向に延設した舌片または器具本体内側に揺動自在であるように側板に設けた舌片であり、前記駆動部は、解除工具の先端が係合できるように舌片の先端部に設けた突起片であることを特徴とする請求項１または請求項２記載のエンドピース装着機構。
【請求項４】
前記エンドピースの前面にリモコンを収納できる収納部を設け、エンドピースからリモコンを取外した状態で前記解除工具が前記突起片と係合できるようにエンドピースの後面に孔を開設したことを特徴とする請求項３記載のエンドピース装着機構。
【請求項５】
前記解除工具により前記突起片に力を加える際に支点となる支点部をエンドピースに設けたことを特徴とする請求項３または請求項４記載のエンドピース装着機構。
【発明の詳細な説明】
【０００１】
【発明の属する技術分野】
本発明は、例えば、カウンタトップに形成された開口に吊持されるビルトインコンロのコンロ本体側板へのエンドピース装着機構に関する。
【０００２】
【従来の技術】
従来のエンドピース装着機構において略直方体のエンドピースは、コンロ本体の側板との当接面がエンドピース挿入方向前方に向かって延設され、その先端部には４条の切欠きが設けられている。この場合、その中央部に第１舌片が、この第１舌片の上下両側に第２舌片が、さらに第２舌片の上下外方に第３舌片が形成されている。第１舌片の先端部は側板に向かって傾斜して形成され、第２舌片には係止突起が形成されている。
【０００３】
他方、エンドピースが装着されるコンロ本体の側板には、第１舌片が挿入されるブリッジ状の保持部が第１舌片を保持するように設けられ、さらにエンドピースを定位置まで挿入すると第２舌片の係止突起が係合してエンドピースの姿勢を保持する係止孔が形成されている。
【０００４】
この場合、例えばビルトインコンロを交換するとき等にエンドピースが簡単に取外すことができるように、係止突起には係止孔からの離脱を容易にする斜面が形成されている（特許文献１参照）。
【０００５】
【特許文献１】
実開平５−５２６１１号公報（例えば、請求項１の記載）
【０００６】
【発明が解決しようとする課題】
上記のようにエンドピースが簡単に取外すことができる構成とした場合、例えば調理者が不用意にエンドピースに触れると、エンドピースの取付姿勢が崩れたりする場合があった。
【０００７】
ところで、近年では、スペースの有効利用等の観点から、エンドピースの前面に開口する収納部を設け、収納部に、例えばビルトインコンロの上方に位置してシステムキッチンに設けた換気扇の作動を制御するリモコンを収納させることが提案されている。
【０００８】
特に、この場合、リモコンは収納部から繰返し出入れされる。このため、上記公報記載のように、係止突起に斜面を形成するとリモコンの出入れに伴って係止孔から係止突起が離脱し易くなり、エンドピースの取付姿勢が崩れたり、場合によってはエンドピース自体がコンロ本体の側板から外れる場合があった。
【０００９】
そこで、本発明は、上記点に鑑み、エンドピースに不用意に触れたり、リモコンを出入れすることによって、エンドピースの取付姿勢が崩れたり、外れたりせず、また、必要に応じてエンドピースを簡単に取外すことができるエンドピース装着機構を提供することを課題とするものである。
【００１０】
【課題を解決するための手段】
この課題を解決するため、本発明のエンドピース装着機構は、器具設置空間と器具本体の側板との間に生じる隙間を封鎖するようにエンドピースを前方から挿入して側板に着脱自在に装着するエンドピース装着機構において、前記エンドピースを側板に保持する保持手段をエンドピースと側板とに形成し、エンドピースの定位置への挿入で相互に係合しエンドピースを該定位置に係止する係止手段のうちいずれか一方をエンドピースに他方を側板に形成すると共に、係止手段のうちいずれか一方を弾性変形する変形部に設け、該変形部を弾性変形させて係止手段相互の係合を解除できるようにエンドピース前面からの操作で力を加え得る駆動部を変形部に設けたことを特徴とする。
【００１１】
本発明によれば、エンドピースを器具本体の側板に押し付けながらエンドピースを挿入すると、保持手段を介して器具本体の側板にエンドピースが保持され、定位置まで挿入されると係止手段が相互に係合する。この場合、エンドピースの姿勢が保持され、エンドピースに不用意に触れてもエンドピースの姿勢はが崩れない。
【００１２】
他方、側板からエンドピースを取外す場合には、エンドピース前面から操作して、係止手段相互の係合が解除されるように駆動部に力を加えて変形部を変形させると互いの係合が解除され、エンドピースは側板から引出自在になる。そして、エンドピース自体を器具本体前方に引っ張ると、エンドピースが外れる。
【００１３】
ここで、前記係止手段は、例えば係止突起と係止孔とから構成すればよい。
【００１４】
また、前記変形部は、例えばエンドピースからエンドピースの挿入方向に延設した舌片または器具本体内側に揺動自在であるように側板に設けた舌片とし、前記駆動部は、解除工具の先端が係合できるように舌片の先端部に設けた突起片とすればよい。
【００１５】
前記エンドピースの前面にリモコンを収納できる収納部を設け、エンドピースからリモコンを取外した状態で前記解除工具が前記突起片と係合できるようにエンドピースの後面に孔を開設しておけば、リモコンを収納部装着すれば孔が封鎖されるので、見栄えが悪くなることはない。
【００１６】
尚、前記解除工具により前記突起片に力を加える際に支点となる支点部をエンドピースに設けておくのがよい。
【００１７】
【発明の実施の形態】
図１乃至図４を参照して、１はシステムキッチンのカウンタトップであり、開口２が設けられている。ビルトインコンロ３は、カウンタトップ１の開口２の周縁にコンロ本体３１の上端外周縁部２１を係合させることで吊持される。
【００１８】
ところで、ビルトインコンロ３の設置作業等を考慮して器具設置空間の間口はコンロ本体３１の横幅より広く形成している。このため、ビルトインコンロ３を設置するとビルトインコンロ３の前面パネル３２の両側に隙間がそれぞれ生じる。この間隙を封鎖するため、エンドピース４をビルトインコンロ３の前方から挿入して器具外側面であるコンロ本体３１の側板３１ａに着脱自在に装着している。
【００１９】
図２及び図３に示すように、エンドピース４は例えば合成樹脂で略直方体に一体成形され、その前面側に開口する収納部４１が設けられている。収納部４１は、例えばビルトインコンロ３の上方に位置してシステムキッチンに設けた換気扇の作動を制御するリモコン５が収納できるように形成されている。
【００２０】
また、側板３１ａにエンドピース４を装着する際に側板３１ａと当接するエンドピースの当接面はエンドピース４の挿入方向前方に向かって延設され、延設部が設けられている。この延設部の先端には４条の切欠きが設けられている。これにより、その中央部には第１舌片４２が、この第１舌片４２の上下両側には第２舌片４３が、さらに第２舌片４３上下外方に第３舌片４４がそれぞれ形成される。
【００２１】
この場合、第１舌片４２の先端は側板３１ａに向かって傾斜する傾斜部４２ａとして形成され、後述するように保持部３１ｂの開口３１ｃに挿入し易いようになっている。各第２舌片４３の先端部には、側板３１ａとの当接面に係止突起４３ａと付勢突起４３ｂとがそれぞれ形成されている。
【００２２】
他方、エンドピース４が装着されるコンロ本体３１の側板３１ａには、第１舌片４２が挿入されるブリッジ状の保持部３１ｂが設けられ、保持部３１ｂが第１舌片４２と共に保持手段を構成する。この場合、第１舌片４２が挿入される保持部３１ｂの入口３１ｃは拡大しており、第１舌片４２の傾斜部４２ａとで第１舌片４２が挿入し易くなっている。尚、保持部を、例えばコンロ本体３１の側板３１ａに取付けた板ばね片とし、第１舌片４２相当のエンドピース側壁が板ばね片と側板３１ａとの間で挟持されるようにしてもよい。
【００２３】
また、側板３１ａには、第２舌片４３が定位置まで挿入されると各第２舌片４３の各係止突起４３ａが係合してエンドピース４の姿勢を保持する係止孔３１ｄがそれぞれ形成され、この係止孔３１ｄが係止突起４３ａと共に係止手段を構成する。
【００２４】
前面パネル３３の両側に生じた隙間を封鎖するように側板３１ａにエンドピース４を装着する場合、先ずエンドピース４を側板３１ａに当接させ、側板３１ａに沿って隙間に挿入する。この場合、第２舌片４３の係止突起４３ａが側板３１ａに当接することで第２舌片４３が側板３１ａから離反する方向に作用するが、当初は、第１舌片４２の傾斜部４２ａと保持部３１ｂの拡大した入口３１ｃとによって、第１舌片４２の先端部を保持部３１ｂ内に挿入させることができる。
【００２５】
エンドピース４をさらに挿入すると第２舌片４３は弾性変形し、第１舌片４２の外面４２ｂを保持部３１ｂの内面に押し付けながら移動させることで、エンドピース４は側板３１ａに保持された状態になる。
【００２６】
さらに、エンドピース４を挿入し、エンドピースが定位置まで挿入されるとストッパによりエンドピース４の挿入が停止し、このとき第２舌片４３の係止突起４３ａが係止孔３１ｄに係合する。この場合、第２舌片４３に設けた付勢突起４３ｂによって第２舌片４３が側板３１ａから離反するようになることで第１舌片４２が保持部３１ｂで強固に係合し、エンドピース４は保持される。尚、ストッパーとしては、第３舌片４４の挿入方向先端に位置して側板３１ａに設けた突起（図示せず）や係止突起４３ａに対する係止孔３１ｄが採用される。
【００２７】
ところで、リモコン５を収納部４１から出入れする際、第２舌片４３の係止突起４３ａが係止孔３１ｄから離脱したのでは、エンドピース４の取付姿勢が崩れたり、場合によってはエンドピース５が外れる場合がある。
【００２８】
このため、係止突起４３ａを所定の高さ寸法を有する四角柱から構成して係止突起４３ａが係止孔３１ｄに確実に係止されるように係止突起４３ａの挿入方向後面を垂直な面とした。これにより、、係止突起４３ａが係止孔３１ｄに係合した状態では、リモコン５の取外し操作によってエンドピース４が間隙から外れる等の不具合が生じないようになる。但し、例えばビルトインコンロ３を交換する場合にはエンドピース４を間隙から一旦取外す必要がある。
【００２９】
本実施の形態では、弾性変形する変形部であり、係止手段の係止突起４３ａが形成された第２舌片４３の先端部に、第２舌片４３の側板３１との当接面と反対側に位置して、例えばマイナスドライバーである解除工具Ｔの先端が係合可能な駆動部である突起片４３ｃを設けた。
【００３０】
また、エンドピース４からリモコン５を取外した状態で、エンドピース４の前面側から解除工具Ｔの先端が突起部４３ｃに係合できるようにエンドピース４の収納部４１の後面４５に突起片４３ｃに対応して２個の孔４５ａ、４５ｂをそれぞれ開設した。この場合、リモコン５を収納部４１に装着すれば孔４５ａ、４５ｂはリモコン５で覆われ、見栄えが悪くなることはない。
【００３１】
そして、側板３１ａに装着されたエンドピース４を取外す場合には、先ず収納部４１からリモコン５を取外した後、解除工具Ｔをエンドピース４の後面４５に開設した孔４５ａ、４５ｂの一方を貫通させて一方の突起部４３ｃと係合させる。そして、解除工具Ｔによって、側板３１ａから離反する方向に突起部４３ｃを介して第２舌片４３に引張力を加えて弾性変形させる（図４（ｃ）参照）。
【００３２】
この場合、エンドピース４の孔４５ａ、４５ｂと突起片４３ｃとの間にドーム状の隆起部４６を形成しておけば、解除工具Ｔによって引張力を加える場合に隆起部４６を支点として利用できる（図４（ｃ）参照）。
【００３３】
これにより、係止突起４３ａと係止孔３１ｄとの係合が解除されるので、エンドピース４の解除された端部側を引き出す。次いで、同様の手順で他方の係止突起４３ａと係止孔３１ｄとの係合を解除し、エンドピース４自体を手前に引っ張ると、エンドピース４が隙間から取外せる。
【００３４】
尚、本実施の形態では、第２舌片４３に係止突起４３ａを設けると共に、コンロ本体３１の側板３１ａに係止孔３１ｄを設けたが、これに限定されるものではなく、例えば、図５に示すように、第２舌片４３に係止孔４３１を設け、側板３１に係止突起３１０を設けてもよい。この場合、解除工具Ｔが係合する突起片４３ｃは係止孔４３１の近傍に設ければよい。
【００３５】
また、本実施の形態では、変形部をエンドピース４に設けた第２舌片４３としたが、これに限定されるものではなく、例えば、図６及び図７に示すように、コンロ本体３１の側板３１ａに略コ字状の切込みを形成し、力を加えるとエンドピース４から離反する方向に揺動するように第４舌片３２０を側板３１ａに設け、変形部としてもよい。
【００３６】
この場合、図６に示すように、第４舌片３２０に、第２舌片４３に設けた係止突起４３ａが係合する係止孔３２１を設けると共に、エンドピース４の挿入方向前側に突起片３２２を設ける。そして、エンドピース４を側板３１ａから取外す場合には、解除工具Ｔによって突起片３２２を押圧すると第４舌片３２０が弾性変形して係止突起４３ａと係止孔３２１との係合が解除できる。尚、突起片３２２を押圧する場合、エンドピースの後面４５に設けた孔４５ａ、４５ｂの辺のうち、第２舌片４３に対向する辺を支点とすればよい。
【００３７】
他方、図７に示すように、第４舌片３２０に係止突起３２３を設けると共に、第２舌片４３に係止孔４３０を設けてもよい。
【００３８】
【発明の効果】
以上説明したように、本発明のエンドピース装着機構では、エンドピースに不用意に触れたり、リモコンを出入れしたりしてもエンドピースの姿勢が崩れたり、エンドピースが外れることがなく、その上、必要に応じてエンドピースを簡単に取外すことができるという効果を奏する。
【図面の簡単な説明】
【図１】厨房家具へのビルトインコンロの設置状態を説明する正面図
【図２】コンロ本体の側板へのエンドピースの装着を説明する図。
【図３】厨房家具へのビルトインコンロの設置状態を説明する側面図。
【図４】（ａ）は、図３のＩＩＩ−ＩＩＩ線に沿った断面図。（ｂ）は、図３のＩＶ−ＩＶ線に沿った断面図。（ｃ）は、変形部の弾性変形を説明する図。
【図５】（ａ）は、係止突起と係止孔との他の変形例を説明する図。（ｂ）は、（ａ）のＶ−Ｖ線に沿った断面図。
【図６】（ａ）は、変形部の他の変形例を説明する図。（ｂ）は、（ａ）のＶＩ−ＶＩ線に沿った断面図。
【図７】（ａ）は、変形部のさらに他の変形例を説明する図。（ｂ）は、（ａ）のＶＩＩ−ＶＩＩ線に沿った断面図。
【符号の説明】
２　厨房家具
３　ビルトインコンロ
３１　側板
３１ｄ　係止孔
４　エンドピース
４３　第２舌片
４３ａ　係止突起
４３ｃ　突起片
【図１】
2004100775.tif 000003
【図２】
2004100775.tif 000004
【図３】
2004100775.tif 000005
【図４】
2004100775.tif 000006
【図５】
2004100775.tif 000007
【図６】
2004100775.tif 000008
【図７】
2004100775.tif 000009